(57)【要約】  空調状況に応じて塗りつぶしパターンが異なる矩形のパターン画像（Ｐ１〜Ｐ５）と、当該パターン画像（Ｐ１〜Ｐ５）に重なるフレーム画像（ＦＲ）によって、オフィスビルの空調対象空間を示す画像を構成する。この場合、空調対象空間としての各エリアの温度や湿度等の空調状況が変わった場合には、各エリアの形状にかかわらず、矩形のパターン画像（Ｐ１〜Ｐ５）を、表示色を変えて再描画するだけでよい。したがって、空調状況の変化に応じて画像を更新する際にハンドリングする情報量が少なくなり、短時間に精度よく画像を更新することが可能となる。
2012101832.tif 000002
【特許請求の範囲】
【請求項１】
表示画面を備えるリモートコントロール装置であって、
空調対象空間に設置された空調機を制御するための制御情報を記憶する第１記憶手段と、
前記空調対象空間の空調状況を表す第１画像に関する第１情報と、前記空調対象空間を規定する構造物を示す第２画像に関する第２情報を記憶する第２記憶手段と、
前記第１情報に基づいて、表示手段に、前記第１画像を描画して、前記制御情報によって規定されるパターンで塗りつぶし、
前記第２情報に基づいて、前記表示手段に、前記第１画像に重ねて前記第２画像を描画するグラフィックエンジンと、
を備えるリモートコントロール装置。
【請求項２】
前記グラフィックエンジンは、
前記第１画像を、前記制御情報によって規定される色で塗りつぶす請求項１に記載のリモートコントロール装置。
【請求項３】
前記グラフィックエンジンは、
前記第１画像に、前記制御情報によって規定される色で塗りつぶされたタイル画像を重ねて描画することで、前記第１画像を塗りつぶす請求項１又は２に記載のリモートコントロール装置。
【請求項４】
前記グラフィックエンジンは、
前記第１画像を、前記制御情報によって規定されるメッシュパターンで塗りつぶす請求項１に記載のリモートコントロール装置。
【請求項５】
前記第１画像は、第１レイヤー又は前記第１レイヤー上に重なる第２レイヤーに表示され、
前記第１レイヤーに表示される前記第１画像を塗りつぶすメッシュパターン、及び前記第２レイヤーに表示される前記第１画像を塗りつぶすメッシュパターンに関する情報を記憶する第３記憶手段を備え、
前記グラフィックエンジンは、前記第３記憶手段に記憶された情報に基づいて、前記第１レイヤー及び前記第２レイヤーに表示された前記第１画像を塗りつぶす請求項４に記載のリモートコントロール装置。
【請求項６】
前記第２レイヤーに表示される前記第１画像を塗りつぶす前記メッシュパターンは、前記第１レイヤーに表示される前記第１画像を塗りつぶす前記メッシュパターンよりも粗である請求項５に記載のリモートコントロール装置。
【請求項７】
前記グラフィックエンジンは、
前記制御情報が更新された場合に、
前記第１情報に基づいて、前記表示手段に、更新された前記制御情報によって規定されるパターンで塗りつぶされた前記第１画像を描画し、
前記第２情報に基づいて、前記表示手段に、前記第１画像と重なる前記第２画像の部分画像を上書きする請求項１乃至６のいずれか一項に記載のリモートコントロール装置。
【請求項８】
前記第１情報及び前記第２情報は、所定の形式で圧縮された情報であり、
前記グラフィックエンジンは、
圧縮された前記第１情報及び前記第２情報を伸張し、
伸張された前記第１情報に基づいて、前記表示手段に前記第１画像を描画し、伸張された前記第２情報に基づいて、前記表示手段に前記第２画像を描画する請求項１乃至７のいずれか一項に記載のリモートコントロール装置。
【請求項９】
前記第１画像及び前記第２画像は、多角形又は円形である請求項１乃至８のいずれか一項に記載のリモートコントロール装置。
【請求項１０】
前記記憶手段から所定の情報を抽出して、前記グラフィックエンジンへ出力する制御手段を備え、
前記グラフィックエンジンは、前記制御手段から出力された前記所定の情報を受信すると、前記制御手段から独立して、前記表示手段に、前記第１画像及び前記第２画像を描画する請求項１乃至９のいずれか一項に記載のリモートコントロール装置。
【請求項１１】
前記第１画像は、前記空調対象空間の温度、又は前記空調機から吐出される空調空気の温度に応じたパターンで塗りつぶされる請求項１乃至１０のいずれか一項に記載のリモートコントロール装置。
【請求項１２】
請求項１乃至１１のいずれか一項に記載のリモートコントロール装置と、
前記リモートコントロール装置を介して入力された指令に基づいて、前記空調対象空間の空調を行う前記空調機と、
を備える空調システム。
【発明の詳細な説明】
【技術分野】
【０００１】
本発明は、リモートコントロール装置及び空調システムに関し、特に、表示画面を備えるリモートコントロール装置、及び前記リモートコントロール装置からの指令に基づいて駆動される空調システムに関する。
【背景技術】
【０００２】
オフィスビルに代表される商業施設のテナントや作業スペースに配置される複数の空調機は、共通のリモートコントロール装置によって、集中的に管理されるのが一般的である。空調機は、比較的消費電力が大きいため、これらの空調機の出力を、周囲環境に応じて調整することができれば、省エネルギー化を効率的に推進することができる。そこで、複数の空調装置を個別に制御することが容易な、グラフィカルユーザインタフェース（GUI: Graphical User Interface）を備えたリモートコントロール装置が普及しはじめている（例えば特許文献１乃至４参照）。【０００３】
ＧＵＩを備えたリモートコントロール装置を用いることで、ユーザは、ＧＵＩに表示される空調機のレイアウトや運転状況、当該空調機が配置されたフロアの間取り等を視認しながら、各空調機を操作することができる。
【先行技術文献】
【特許文献】
【０００４】
【特許文献１】特開平４−３９５６４号公報
【特許文献２】特開２００５−３０８２７８号公報
【特許文献３】特開２０１０−１７５６３８号公報
【特許文献４】特開２０１０−１７５７８６号公報
【発明の概要】
【発明が解決しようとする課題】
【０００５】
リモートコントロール装置は、壁面に設置されるのが一般的であるため、大きさが制約される。したがって、ＧＵＩに画像を表示する際に用いられる画像情報やプログラムの容量は小さいほど好ましい。そこで、例えば特許文献１及び２に記載された制御装置のＧＵＩは、制御対象となる空調機のレイアウトや運転状況、或いは当該空調機が配置されたフロアの間取り等を、矩形の図形を組み合わせて模式的に表示する。これにより、描画の際にハンドリングする画像情報の量が少なくなる。【０００６】
しかしながら、空調機が設置されるフロアの形状が複雑であったり、フロアに矩形以外の形状の柱等が配置されている場合には、ＧＵＩに表示されるフロアの形状と、実際に空調機が設置されるフロアの形状とが乖離してしまう。【０００７】
特許文献３及び４に記載された装置は、ＧＵＩによって行われる描画処理の一部を、グラフィックエンジンなどのハードウエアによって行うことで、ＧＵＩによる処理を軽減する。しかしながら、ハードウエアによる処理は、汎用的な処理である必要があるため、フロアに応じて異なる形状を描画することは比較的困難である。【０００８】
本発明は、上述の事情の下になされたもので、空調機が配置されたフロアの画像を、精度良く表示することを目的とする。
【課題を解決するための手段】
【０００９】
上記目的を達成するため、本発明に係るリモートコントロール装置は、
表示画面を備えるリモートコントロール装置であって、
空調対象空間に設置された空調機を制御するための制御情報を記憶する第１記憶手段と、
前記空調対象空間の空調状況を表す第１画像に関する第１情報と、前記空調対象空間を規定する構造物を示す第２画像に関する第２情報を記憶する第２記憶手段と、
前記第１情報に基づいて、表示手段に、前記第１画像を描画して、前記制御情報によって規定されるパターンで塗りつぶし、
前記第２情報に基づいて、前記表示手段に、前記第１画像に重ねて前記第２画像を描画するグラフィックエンジンと、
を備える。
【発明の効果】
【００１０】
本発明によれば、空調状況に応じて塗りつぶしパターンが異なる第１画像と、当該第１画像に重なる第２画像によって、空調対象空間が表示される。このため、空調対象空間を示す画像のうち、空調状況に応じて塗りつぶしパターンが異なるフロアや空調範囲を示す部分を第１画像で構成し、空調状況にかかわらず変化しない外壁やパーティションを示す部分を、第１画像に重なる第２画像で構成することで、フロア等を示す部分をシンプルな図形を用いて表示するとともに、空調対象空間全体をリアルに精度よく表示することができる。
【図面の簡単な説明】
【００１１】
【図１】第１の実施形態に係る空調システムのブロック図である。
【図２】空調対象空間としての作業空間のレイアウトを示す図である。
【図３】液晶パネルに表示される画像を示す図である。
【図４】フレーム画像を示す図である。
【図５】パターン画像を示す図である。
【図６】液晶パネルに表示される画像の分解斜視図である。
【図７】空調情報メモリに記憶される運転情報を示す図である。
【図８】領域定義メモリに記憶される画像情報を示す図である。
【図９】表現形式メモリに記憶される色情報を示す図である。
【図１０】エリア描画管理部によって実行される処理を示すフローチャートである。
【図１１】エリア描画管理部によって実行される処理を示すフローチャートである。
【図１２】エリア描画管理部による差分描画処理を説明するための図である。
【図１３】第２の実施形態に係る空調システムのブロック図である。
【図１４】液晶パネルに表示される画像を示す図である。
【図１５】液晶パネルに表示される画像の分解斜視図である。
【図１６】空調情報メモリに記憶される運転情報を示す図である。
【図１７】階層付領域定義メモリに記憶される画像情報を示す図である。
【図１８】階層別網目画像メモリに記憶される画像情報を示す図である。
【図１９】表現形式メモリに記憶される色情報を示す図である。
【図２０】エリア描画管理部によって実行される処理を示すフローチャートである。
【図２１】エリア描画管理部によって実行される処理を示すフローチャートである。
【発明を実施するための形態】
【００１２】
《第１の実施形態》
以下、本発明の第１の実施形態を、図面を参照して説明する。図１は本実施形態に係る空調システム１０のブロック図である。この空調システム１０は、図２に示されるオフィスビル１００に設けられた作業空間１０１，１０２の空調を行うシステムである。図１に示されるように、空調システム１０は、５つの空調機３０１〜３０５、空調機３０１〜３０５の空調対象となる空間の温度を計測する５つの温度センサ端末４０１〜４０５、及び空調機３０の制御を行うリモートコントロール装置２０を有している。
【００１３】
作業空間１０１，１０２それぞれは、例えば複数の作業者がデスクワークを行うオフィスである。図２に示されるように、作業空間１０１と作業空間１０２とは、隔壁１１０によって仕切られており、空間１０２には、天井を支持する２本の柱１０３と、パーティション１０４が配置されている。そして、空調システム１０を構成する空調機３０１が、作業空間１０１の天井に配置され、空調機３０２〜３０５が、作業空間１０２の天井に、各空調機の空調範囲がなるべく重複しないように分散配置されている。
【００１４】
本実施形態では、図２に示されるように、空調機３０の空調範囲に基づいて、作業空間１０１，１０２に５つのエリアＡ１〜Ａ５が規定されている。エリアＡ１は、作業空間１０１と一致する領域である。このエリアＡ１の空調は、空調機３０１によって実行される。エリアＡ２〜Ａ５は、作業空間１０２を、空調機３０２〜３０５の空調範囲に基づいて、区分することにより規定された領域である。エリアＡ２〜Ａ５の空調は、それぞれ空調機３０２〜３０５によって、主として実行される。
【００１５】
空調機３０１〜３０５それぞれは、熱交換器、送風ファン、ルーバーユニット、及び通信ユニット等を有している。これらの空調機３０１〜３０５は、リモートコントロール装置２０から通知される運転指令に基づいて、例えば不図示の室外機との間を循環する冷媒と、空間１０１或いは作業空間１０２の空気との間で熱交換を行うことにより空調空気を生成する。そして、この空調空気を作業空間１０１，１０２へ吐出する。また、リモートコントロール装置２０の要求に応じて、出力、空調空気の吐出方向（風向）、及び運転モード等の情報を、ネットワーク７０を介して、リモートコントロール装置２０へ通知する。
【００１６】
温度センサ端末４０１〜４０５は、空調機３０１〜３０５の空調範囲にそれぞれ配置されている。各温度センサ端末４０は、例えばサーモスタットを用いて室内の空気温度を計測する。そして、リモートコントロール装置２０の要求に応じて、計測結果を、ネットワーク７０を介して、リモートコントロール装置２０へ出力する。
【００１７】
リモートコントロール装置２０は、空調システム通信部２１、空調機制御部２２、空調情報メモリ２３、エリア描画管理部２４、グラフィックエンジン２５、及び表示部２６を有している。
【００１８】
表示部２６は、テキストやグラフィックを表示する長方形の液晶パネル等２６ａ（図３参照）を有している。この表示部２６は、エリア描画管理部２４及びグラフィックエンジン２５から出力される画像情報を受信する。そして、受信した画像情報よって規定される画像ＩＭを液晶パネル２６ａに表示する。この液晶パネル２６ａ上の位置は、例えば左上のコーナーを原点とするＸＹ座標系によって特定される。また、この液晶パネル２６ａの画面は、２４０行３２０列のマトリクス状に配置された画素から構成されている。
【００１９】
図３は、液晶パネル２６ａに表示される画像ＩＭの一例を示す図である。図３に示されるように、画像ＩＭは、オフィスビル１００に形成された作業空間１０１，１０２を示す模式的な画像である。この画像ＩＭは、各エリアに対応したパターン画像Ｐ１〜Ｐ５と、これらのパターン画像Ｐ１〜Ｐ５に重なるフレーム画像ＦＲとから構成される。
【００２０】
図４は、フレーム画像ＦＲを示す図である。また、図５は、パターン画像Ｐ１〜Ｐ５を示す図である。図４に示されるように、フレーム画像ＦＲは、図２に示される作業空間１０１，１０２を規定する壁、柱１０３、及びパーティション１０４を示す画像である。また、図５に示されるように、パターン画像Ｐ１〜Ｐ５は、作業空間１０１，１０２に規定されたエリアＡ１〜Ａ５に対応した矩形の画像である。
【００２１】
図６に模式的に示されるように、液晶パネル２６ａは、パターン画像Ｐ１〜Ｐ５と、パターン画像Ｐ１〜Ｐ５に重なるフレーム画像ＦＲとを同時に表示することで、パターン画像Ｐ１〜Ｐ５と、これらの画像に重なるフレーム画像ＦＲからなる画像ＩＭを表示する。
【００２２】
図１に戻り、空調システム通信部２１は、シリアルインタフェースまたはＬＡＮ（Local Area Network）インタフェース等を含んで構成されている。リモートコントロール装置２０は、空調システム通信部２１を介してネットワーク７０に接続される。
【００２３】
空調機制御部２２は、ＣＰＵ（Central Processing Unit）、ＣＰＵの作業領域となるＲＡＭ（Random Access Memory）、ＣＰＵによって実行されるプログラムや各種パラメータを含む情報を記憶するＥＰＲＯＭ（Erasable Programmable Read Only Memory）等の記憶媒体を有している。この空調機制御部２２は、例えば温度センサ端末４０による計測結果に基づいて、空調機３０それぞれの出力や風向を制御する。また、空調機制御部２２は、空調機３０のステータス、及び温度センサ端末４０による計測結果に関する情報を空調情報メモリ２３に記憶する。
【００２４】
空調情報メモリ２３は、空調機３０のステータスに関する情報（運転情報）を記憶する。図７には、空調情報メモリ２３に記憶される運転情報を模式的に示すテーブルが示されている。図７に示されるように、運転情報は、値ＩＤ、領域ＩＤ、及び制御値の３つの要素を含む。
【００２５】
制御値は、温度センサ端末４０１〜４０５によって計測された温度と等価な数値である。この制御値は、空調機制御部２２が、温度センサ端末４０から通知された計測結果を、空調情報メモリ２３に記憶させることで更新される。したがって、制御値は、エリアＡ１〜Ａ５それぞれの現在の気温と等価である。
【００２６】
値ＩＤは、制御値の種類を特定するための情報である。この値ＩＤによって、制御値が室内温度を示すものであるか、或いは制御値が運転モード等を示すものであるかを判断することができる。図７を参照するとわかるように、例えば１行目の制御値「２５」に対応する値ＩＤの内容は「室内温度」である。したがって、値ＩＤから、当該制御値が、室内温度を示すものであることがわかる。
【００２７】
領域ＩＤは、制御値が属する領域を特定するための情報である。この領域ＩＤによって、制御値が、どのエリアＡ１〜Ａ５に属する情報であるかを判断することができる。図７を参照するとわかるように、例えば１行目の制御値「２５」に対応する領域ＩＤの内容は「エリアＡ１」である。したがって、領域ＩＤから、当該制御値がエリアＡ１に関連する情報、具体的にはエリアＡ１における室内温度を示すものであることがわかる。
【００２８】
図１に戻り、エリア描画管理部２４は、構造図面メモリ２４ａ、領域定義メモリ２４ｂ、及び表現形式メモリ２４ｃを有している。そして、空調情報メモリ２３に記憶された情報が更新された場合等に、上記各メモリ２４ａ〜２４ｃに記憶された情報を出力する。
【００２９】
構造図面メモリ２４ａは、フレーム画像ＦＲに関するフレーム画像情報を記憶する。このフレーム画像情報は、例えば図４に示されるフレーム画像ＦＲを規定するための情報と、このフレーム画像ＦＲが配置される階層（レイヤー）に関する情報から主として構成される。本実施形態では、上記フレーム画像情報から、図４に示されるフレーム画像ＦＲの形状を特定することができる。そして、当該フレーム画像が、パターン画像Ｐ１〜Ｐ５が表示されるレイヤーの上に重なるレイヤーに表示されることを特定することができる。
【００３０】
領域定義メモリ２４ｂは、図５に示されるパターン画像Ｐ１〜Ｐ５に関する情報（画像情報）を記憶する。図８には、領域定義メモリ２４ｂに記憶される画像情報を模式的に示すテーブルが示されている。この画像情報は、１行目〜５行目に列挙された情報がそれぞれ、エリアＡ１〜Ａ５に対応したパターン画像Ｐ１〜Ｐ５についての情報となっている。図８に示されるように、各パターン画像Ｐ１〜Ｐ５についての画像情報は、値ＩＤ、領域ＩＤ、位置情報、大きさ情報、形状情報、形式ＩＤ、階層番号の７つの要素を含む。
【００３１】
位置情報は、液晶パネル２６ａに規定されたＸＹ座標系におけるＸ座標及びＹ座標からなる情報である。この位置情報は、パターン画像Ｐ１〜Ｐ５の表示位置を規定する情報である。例えば１行明の位置情報（１０，９０）は、パターン画像Ｐ１が、液晶パネル２６ａに規定されたＸＹ座標系における位置（１０，９０）に表示されることを意味する。
【００３２】
大きさ情報は、パターン画像Ｐ１〜Ｐ５それぞれの幅（Ｘ軸方向の大きさ）と、高さ（Ｙ軸方向の大きさ）からなる情報である。Ｘ軸方向及びＹ軸方向の大きさは、液晶パネル２６ａの画面を構成する画素１つ分の大きさｄを１単位とする。例えば１行目の大きさ情報（８５、１４０）は、パターン画像Ｐ１の、ＸＹ座標系におけるＸ軸方向の大きさが８５ｄであり、Ｙ軸方向の大きさが１４０ｄであることを意味する。
【００３３】
形状情報は、パターン画像Ｐ１〜Ｐ５の形状を特定するための情報である。この形状情報によって、パターン画像Ｐ１〜Ｐ５それぞれが、矩形であるか、或いは円形であるかを判断することができる。
【００３４】
形式ＩＤは、パターン画像Ｐ１〜Ｐ５が示す対象物を特定するための情報である。例えば形式ＩＤに基づいて、パターン画像Ｐ１〜Ｐ５が、エリアＡ１〜Ａ５を示すパターン画像であるか、或いは柱１０３等の建造物の一部を表すパターン画像であるか等を判断することができる。本実施形態では、エリアＡ１〜Ａ５を示すパターン画像Ｐ１〜Ｐ５には、形式ＩＤとして１が割り当てられている。
【００３５】
階層番号は、パターン画像Ｐ１〜Ｐ５が配置されるレイヤーを特定するための情報である。階層番号の値は、例えば下層レイヤーには階層番号１が割り当てられ、下層レイヤーの上層にある上層レイヤーには階層番号２が割り当てられる。例えば１行目の階層番号１は、パターン画像Ｐ１が、下層レイヤーに配置されることを意味する。
【００３６】
表現形式メモリ２４ｃは、パターン画像Ｐ１〜Ｐ５についての表示色に関する情報（色情報）を記憶する。図９には、表現形式メモリ２４ｃに記憶される色情報を模式的に示すテーブルが示されている。図９に示されるように、色情報は、形式ＩＤ、値範囲、及び描画色情報の３つの要素を含む。
【００３７】
描画色情報は、パターン画像Ｐ１〜Ｐ５の色を規定するための情報である。この色情報は、制御範囲に応じて選択される。例えば、上述した制御値が０以上で２４未満である場合には、パターン画像Ｐ１〜Ｐ５は、それぞれ背景色と同色で表示される。また、制御値が２４以上で２８未満である場合には、パターン画像Ｐ１〜Ｐ５は、それぞれ黄色で表示される。また、制御値が２８以上で３２未満である場合には、パターン画像Ｐ１〜Ｐ５は、それぞれ橙色で表示される。また、制御値が３２以上である場合には、パターン画像Ｐ１〜Ｐ５は、それぞれ赤色で表示される。
【００３８】
図１に戻り、グラフィックエンジン２５は、エリア描画管理部２４からの情報に基づいて、空調機３０の運転状況や温度センサ端末４０の計測結果等に基づく画像を、表示部２６の液晶パネル２６ａに表示する。このグラフィックエンジン２５は、画像描画部２５ａと、図形描画部２５ｃとを有している。
【００３９】
画像描画部２５ａは、エリア描画管理部２４の各メモリ２４ａ，２４ｃに記憶された情報に基づいて、画像ＩＭを構成するフレーム画像ＦＲ及びパターン画像Ｐ１〜Ｐ５等の図形を順次特定する。そして、特定した画像を表示部２６の液晶パネル２６ａに描画する。この画像描画部２５ａは、液晶パネル２６ａの所望の領域（クリッピング領域）にのみ、画像を描画するためのクリッピング描画機能２５ｂを有している。
【００４０】
図形描画部２５ｃは、表示部２６に表示された図形を、表現形式メモリ２４ｃに記憶された情報によって規定される色で塗りつぶす。
【００４１】
次に、上述のように構成されたリモートコントロール装置２０における描画処理について説明する。この処理は、エリア描画管理部２４から、グラフィックエンジン２５に、画像の描画に必要な情報が出力されることで実現される。また、この処理は、装置の起動時等、画面に何も表示されていない状態のときに実行される全描画処理Ｓ１と、画面の表示内容の更新時に実行される差分描画処理Ｓ２の２系統の処理からなる。
【００４２】
図１０は、エリア描画管理部２４によって実行される一連の全描画処理Ｓ１を示すフローチャートである。最初のステップＳ２０１では、エリア描画管理部２４は、まず背景色の色を規定する背景色情報を、グラフィックエンジン２５へ出力する。具体的には、エリア描画管理部２４は、表示部２６を構成する画素すべてを含む領域の大きさを示す情報（３２０，２４０）と、位置（０，０）に関する情報と、当該領域の色についての情報とをグラフィックエンジン２５へ出力する。これにより、背景色情報に基づいた色（例えば白色）の背景画像が、表示部２６に表示される。
【００４３】
次のステップＳ２０２では、エリア描画管理部２４は、内蔵されたカウンタのカウンタ値Ｎを初期化する。これにより、カウンタ値Ｎは０にリセットされる。
【００４４】
次のステップＳ２０３では、エリア描画管理部２４は、カウンタ値Ｎをインクリメントする。
【００４５】
次のステップＳ２０４では、エリア描画管理部２４は、領域定義メモリ２４ｂから、Ｎ番目の画像パターンについての値ＩＤ、領域ＩＤ、及び形式ＩＤを読み込む。例えば、カウンタ値Ｎが１である場合には、エリア描画管理部２４は、図８に示されるテーブルの１行目に位置する値ＩＤ、領域ＩＤ、及び形式ＩＤを読み込む。これにより、エリア描画管理部２４は、エリアＡ１に対応するパターン画像Ｐ１についての値ＩＤ、領域ＩＤ、及び形式ＩＤを取得する。
【００４６】
次のステップＳ２０５では、エリア描画管理部２４は、空調情報メモリ２３から、ステップＳ２０４で取得した領域ＩＤに応じた制御値を読み込む。例えばステップＳ２０４で、内容が「エリアＡ１」である領域ＩＤが取得された場合には、エリア描画管理部２４は、図７に示されるテーブルの１行目に位置する制御値の値「２５」を読み込む。これにより、エリア描画管理部２４は、エリアＡ１に対応するパターン画像Ｐ１についての制御値を取得する。
【００４７】
次のステップＳ２０６では、エリア描画管理部２４は、表現形式メモリ２４ｃから、ステップＳ２０４で取得した形式ＩＤに対応し、ステップＳ２０５で取得した制御値によって規定される描画色情報を読み込む。例えばステップＳ２０４で取得された領域ＩＤの内容が「エリアＡ１」であり、ステップＳ２０５で取得された制御値が「２５」である場合には、エリア描画管理部２４は、図９に示されるテーブルから、制御値が２４以上で２８未満のときの描画色情報として、内容が「黄」の描画色情報を取得する。
【００４８】
次のステップＳ２０７では、エリア描画管理部２４は、図９を参照するとわかるように、描画色情報の内容が「なし」であるか、それ以外の「黄」、「橙」、「赤」であるか否かを判断する。描画色情報の内容が「黄」、「橙」、「赤」のうちのいずれかでない場合には（ステップＳ２０７：Ｎｏ）、エリア描画管理部２４は、ステップＳ２１０へ移行する。一方、描画色情報の内容が「黄」、「橙」、「赤」のうちのいずれかである場合には（ステップＳ２０７：Ｙｅｓ）、エリア描画管理部２４は、ステップＳ２０８へ移行する。
【００４９】
ステップＳ２０８では、エリア描画管理部２４は、領域定義メモリ２４ｂから、Ｎ番目の画像パターンについての位置、大きさ、形状情報を読み込む。例えばカウンタ値Ｎが１である場合には、エリア描画管理部２４は、図８に示されるテーブルの１行目に位置する位置、大きさ、形状情報を読み込む。これにより、エリア描画管理部２４は、エリアＡ１に対応するパターン画像Ｐ１についての位置、大きさ、形状情報を取得する。
【００５０】
次のステップＳ２０９では、エリア描画管理部２４は、ステップＳ２０８，Ｓ２０６で取得したパターン画像に関する画像情報を、グラフィックエンジンへ出力する。例えば、カウンタ値Ｎが１の場合には、図８に示されるテーブルの１行目に位置する位置、大きさ、形状情報と、図９に示される描画色情報をグラフィックエンジンへ出力する。これにより、表示部２６の液晶パネル２６ａには、Ｘ軸方向の大きさ、Ｙ軸方向の大きさがそれぞれ（８５ｄ，１４０ｄ）の矩形のパターン画像Ｐ１が、位置（１０，９０）に対応する位置に描画される。次に、このパターン画像Ｐ１が、表示色「黄」に対応した色で塗りつぶされる。
【００５１】
次のステップＳ２１０では、エリア描画管理部２４は、カウンタ値Ｎが閾値以上であるか否かを判断する。上記閾値は、表示部２６に表示されるパターン画像Ｐ１〜Ｐ５の数と等価な値であり、ここでは閾値は５である。エリア描画管理部２４は、カウンタ値Ｎが閾値以上でない場合には、ステップＳ２０３へ戻り、以下ステップＳ２１０での判断が肯定されるまで、ステップＳ２０３〜ステップＳ２１０の処理を繰り返し実行する。これにより、図５に示されるように、所定の色で塗りつぶされたパターン画像Ｐ１〜Ｐ５が、順次表示部２６の液晶パネル２６ａに描画される。一方、カウンタ値Ｎが閾値（＝５）以上である場合には、エリア描画管理部２４は、ステップＳ２１１へ移行する。
【００５２】
ステップＳ２１１では、エリア描画管理部２４は、構造図面メモリ２４ａからフレーム画像情報を取得する。
【００５３】
次のステップＳ２１２では、エリア描画管理部２４は、フレーム画像情報をグラフィックエンジン２５へ出力する。これにより、図４に示されるフレーム画像ＦＲが、上層レイヤーに描画され、図３に示される画像ＩＭが、表示部２６の液晶パネル２６ａに表示される。
【００５４】
ここまでの処理を終了すると、エリア描画管理部２４は、図１１に示される差分描画処理Ｓ２を開始する。まず、最初のステップＳ３０１では、エリア描画管理部２４は、内蔵されたカウンタのカウンタ値Ｎを初期化する。
【００５５】
次のステップＳ３０２では、エリア描画管理部２４は、カウンタ値Ｎをインクリメントする。
【００５６】
次のステップＳ３０３では、エリア描画管理部２４は、領域定義メモリ２４ｂから、Ｎ番目の画像パターンについての値ＩＤ、領域ＩＤ、及び形式ＩＤを読み込む。これにより、エリア描画管理部２４は、エリアＡ１についての値ＩＤ、領域ＩＤ、及び形式ＩＤを取得する。
【００５７】
次のステップＳ３０４では、エリア描画管理部２４は、空調情報メモリ２３から、ステップＳ３０３で取得した領域ＩＤに応じた制御値を読み込む。これにより、エリア描画管理部２４は、エリアＡ１〜Ａ５のいずれかについての制御値を取得する。
【００５８】
次のステップＳ３０５では、エリア描画管理部２４は、エリアＡ１〜Ａ５についての制御値が更新されたか否かを判断する。この判断は、直近に取得された制御値と最新の制御値とを比較することにより行う。エリア描画管理部２４は、制御値が更新されていないと判断した場合には（ステップＳ３０５：Ｎｏ）、ステップＳ３１１へ移行する。一方、制御値が更新されていると判断した場合には（ステップＳ３０５：Ｙｅｓ）、ステップＳ３０６へ移行する。
【００５９】
ステップＳ３０６では、エリア描画管理部２４は、表現形式メモリ２４ｃから、ステップＳ３０３で取得した形式ＩＤに対応し、ステップＳ３０４で取得した制御値によって規定される描画色情報を読み込む。これにより、エリア描画管理部２４は、描画色情報を取得する。例えば、制御値が「２５」から「３０」に更新された場合には、内容が「橙」の描画色情報を取得する。
【００６０】
次のステップＳ３０７では、エリア描画管理部２４は、図９を参照するとわかるように、描画色情報の内容が「なし」であるか、それ以外の「黄」、「橙」、「赤」であるか否かを判断する。描画色情報の内容が「黄」、「橙」、「赤」のうちのいずれかである場合には（ステップＳ３０７：Ｙｅｓ）、エリア描画管理部２４は、ステップＳ３０９へ移行する。
【００６１】
ステップＳ３０９では、エリア描画管理部２４は、領域定義メモリ２４ｂからＮ番目の画像パターンについての位置、大きさ、形状情報を読み込む。これにより、エリア描画管理部２４は、エリアＡ１〜Ａ５のいずれかについての位置、大きさ、形状情報を取得する。
【００６２】
次のステップＳ３１０では、エリア描画管理部２４は、ステップＳ３０６，Ｓ３０９で取得したパターン画像に関する画像情報を、グラフィックエンジンへ出力する。これにより、対応するパターン画像Ｐ１〜Ｐ５が上書きされる。例えば、図８に示されるテーブルの１行目に位置する位置、大きさ、形状情報と、図９に示される内容が「橙」である描画色情報がグラフィックエンジンへ出力された場合には、図１２を参照するとわかるように、橙色で塗りつぶされたパターン画像Ｐ１ａが、パターン画像Ｐ１とフレーム画像ＦＲに重ねて描画され、次に、パターン画像Ｐ１ａに対応するフレーム画像ＦＲの部分画像ＦＲａが、パターン画像Ｐ１ａに重ねて描画される。
【００６３】
この部分画像ＦＲａの描画については、例えば、エリア描画管理部２４が、フレーム画像ＦＲの画像パターンに重なる部分のアドレス情報をグラフィックエンジンへ出力し、グラフィックエンジンが当該アドレスによって規定されるエリアにのみ、フレーム画像ＦＲを描画することにより実現される。
【００６４】
上述の処理により、図３に示されるパターン画像Ｐ１の色が、「黄」から「橙」へ更新される。
【００６５】
一方、ステップＳ３０７において、描画色情報の内容が「なし」である場合には（ステップＳ３０７：Ｎｏ）、エリア描画管理部２４は、ステップＳ３０８へ移行する。この場合には、ステップＳ３１０で、「背景色」を内容とする描画色情報が出力され、背景色で塗りつぶされたパターン画像Ｐ１〜Ｐ５が上書きされる。
【００６６】
ステップＳ３１１では、エリア描画管理部２４は、カウンタ値Ｎが閾値以上であるか否かを判断する。上記閾値は、表示部２６に表示されるパターン画像Ｐ１〜Ｐ５の数と等価な値であり、ここでは閾値は５である。エリア描画管理部２４は、カウンタ値Ｎが閾値以上でない場合には（ステップＳ３１１：Ｎｏ）、ステップＳ３０２へ戻り、以降ステップＳ３１１での判断が肯定されるまで、ステップＳ３０２〜ステップＳ３１１の処理を繰り返し実行する。一方、カウンタ値Ｎが閾値以上である場合には（ステップＳ３１１：Ｙｅｓ）、エリア描画管理部２４は、ステップＳ３０１へ戻り、カウンタ値Ｎの値を初期化する。そして、ステップＳ３０２〜Ｓ３１１の処理を実行する。これにより、図３に示される画像ＩＭを構成するパターン画像Ｐ１〜Ｐ５の色が、制御値の更新にともなって、順次更新される。
【００６７】
以上説明したように、本実施形態では、空調状況に応じて塗りつぶしパターンが異なる矩形のパターン画像Ｐ１〜Ｐ５と、当該パターン画像Ｐ１〜Ｐ５に重なるフレーム画像ＦＲによって、オフィスビル１００の空調対象空間を示す画像ＩＭが構成される。このため、空調対象空間としての各エリアＡ１〜Ａ５の温度や湿度等の空調状況が変わった場合には、各エリアＡ１〜Ａ５の形状にかかわらず、矩形のパターン画像Ｐ１〜Ｐ５を、表示色を変えて再描画するだけでよい。したがって、空調状況の変化に応じて画像ＩＭを更新する際にハンドリングする情報量が少なくなり、短時間に精度よく画像ＩＭを更新することが可能となる。
【００６８】
本実施形態では、各エリアＡ１〜Ａ５に応じた形状に整形されたフレーム画像ＦＲが、パターン画像Ｐ１〜Ｐ５に重なった状態で表示される。このため、パターン画像Ｐ１〜Ｐ５によってユーザに示される各エリアＡ１〜Ａ５の形状は、オフィスビル１００における各エリアＡ１〜Ａ５の形状に一致する。したがって、各エリアＡ１〜Ａ５の形状が複雑な場合にも正確に、オフィスビル１００のレイアウトを表示することが可能となる。
【００６９】
本実施形態では、上述したように、画像ＩＭを更新する際にハンドリングする情報量が少なくなる。したがって、処理速度が比較的高速な演算装置ではなく、汎用の描画ユニットを用いることができ、装置の低コスト化、及び小型化を実現することができる。
【００７０】
なお、本実施形態では、グラフィックエンジン２５が、クリッピング描画機能２５ｂを有している。これにより、空調状態が変化した場合には、例えば図１２を参照するとわかるように、更新対象となるパターン画像Ｐ１〜Ｐ５と、当該パターン画像と重なるフレーム画像ＦＲの部分画像ＦＲａのみが再描画される（差分描画処理Ｓ２）。これに限らず、グラフィックエンジン２５が、クリッピング描画機能２５ｂを有していない場合には、図１１に示される差分描画処理Ｓ２を行うことなく、図１０に示される全描画処理Ｓ１のみを行えばよい。
【００７１】
本実施形態では、エリア描画管理部２４を構成する構造図面メモリ２４ａ、領域定義メモリ２４ｂ、及び表現形式メモリ２４ｃには、画像情報が圧縮されることなく保存されている。これに限らず、各メモリ２４ａ〜２４ｃにそれぞれには、画像情報が圧縮した状態で保存されていてもよい。例えば、画像情報の圧縮形式としては、ランレングス圧縮が考えられる。ランレングス圧縮を用いた場合には、グラフィックエンジン２５等のハードウエアは、圧縮情報を基点アドレスから順に伸張処理することが可能である。フレーム画像ＦＲは、オフィスビル１００の外壁等を示すものであるため、連続する部分が多く、画像情報を効率よく圧縮することができる。
【００７２】
本実施形態では、パターン画像Ｐ１〜Ｐ５それぞれが矩形である場合について説明した。これに限らず、パターン画像Ｐ１〜Ｐ５それぞれは、円形、三角形、平行四辺形等の形状であってもよい。このような多角形であれば、グラフィックエンジン２５を用いて高速に描画することができる。また、エリアＡ１〜Ａ５が、三角形や平行四辺形である場合には、エリアＡ１〜Ａ５の形状に相似する形状のパターン画像を使って各エリアを表示することができる。これにより、描画速度の向上が期待できる。
【００７３】
本実施形態では、図９を参照するとわかるように、パターン画像Ｐ１〜Ｐ５が「黄」、「橙」、「赤」で塗りつぶされる場合について説明した。パターン画像Ｐ１〜Ｐ５を塗りつぶす処理は、例えば各色に塗りつぶされたタイル画像を、パターン画像Ｐ１〜Ｐ５上に配置することとしてもよい。
【００７４】
また、グラフィックエンジン２５が、パターン画像Ｐ１〜Ｐ５を、例えばメッシュパターンで塗りつぶす機能を有している場合には、パターン画像Ｐ１〜Ｐ５を、例えば室温等に応じたメッシュパターンで塗りつぶすこととしてもよい。パターン画像Ｐ１〜Ｐ５をメッシュパターンで塗りつぶす処理は、例えばパターン画像Ｐ１〜Ｐ５に、メッシュパターンによって塗りつぶされたタイル画像を、パターン画像Ｐ１〜Ｐ５上に配置することで実現できる。メッシュパターンを用いることで、表示部２６を構成する液晶パネルが白黒である場合にも、各エリアＡ１〜Ａ５の空調状態を表示することが可能となる。また、メッシュパターンを「黄」、「橙」、「赤」等の色で表示してもよい。これにより、ユーザフレンドリーに各エリアＡ１〜Ａ５の空調状態を表示することが可能となる。
【００７５】
《第２の実施形態》
次に、本発明の第２の実施形態を、図面を参照しつつ説明する。なお、第１の実施形態と同一又は同等の構成については、同等の符号を用いるとともに、その説明を省略又は簡略する。
【００７６】
図１３は、本実施形態に係る空調システム１０Ａのブロック図である。図１３に示されるように、空調システム１０Ａは、第１の実施形態に係る空調システム１０とは異なり、リモートコントロール装置２０を構成するグラフィックエンジンの図形描画部２５ｃが、網目パターン描画機能を有している。そして、エリア描画管理部２４が、階層付領域定義メモリ２４ｄ及び階層別網目画像メモリ２４ｅを有している。
【００７７】
図１４は、表示部２６の液晶パネル２６ａに表示される画像ＩＭの一例を示す図である。図１４に示されるように、画像ＩＭは、各エリアに対応した矩形のパターン画像Ｐ１〜Ｐ５と、例えばエリアＡ２，Ａ３，Ａ５に配置された空調機３０の空調領域を示す円形のパターン画像Ｐ６，Ｐ７，Ｐ８と、これらのパターン画像Ｐ１〜Ｐ８に重なるフレーム画像ＦＲとから構成される。
【００７８】
図１５に模式的に示されるように、パターン画像Ｐ１〜Ｐ５は最も下のレイヤーに配置され、パターン画像Ｐ６〜Ｐ８は、パターン画像Ｐ１〜Ｐ５が配置されるレイヤーに重なるレイヤーに配置され、フレーム画像ＦＲは、パターン画像Ｐ６〜Ｐ８が配置されるレイヤーに重なる最も上のレイヤーに配置される。以下、説明の便宜上、パターン画像Ｐ１〜Ｐ５が配置されるレイヤーを第１レイヤー、パターン画像Ｐ６〜Ｐ８が配置されるレイヤーを第２レイヤー、フレーム画像ＦＲが配置されるレイヤーを第３レイヤーと定義する。
【００７９】
図１３に戻り、グラフィックエンジン２５を構成する図形描画部２５ｃの網目パターン描画機能２５ｄは、それぞれのパターン画像Ｐ１〜Ｐ８を、メッシュパターンで塗りつぶした状態で表示する機能である。
【００８０】
図１６には、空調情報メモリ２３に記憶される運転情報を模式的に示すテーブルが示されている。図１６に示されるように、運転情報は、値ＩＤ、領域ＩＤ、及び制御値の３つの要素を含む。値ＩＤによって、制御値が室内温度を示すものであるか、或いは空調機３０から吹き出される空調空気の温度であるか等を判断することができる。
【００８１】
図１７には、階層付領域定義メモリ２４ｄに記憶される画像情報を模式的に示すテーブルが示されている。この画像情報は、１行目〜５行目に列挙された情報がそれぞれ、エリアＡ１〜Ａ５に対応したパターン画像Ｐ１〜Ｐ５についての情報であり、６行目〜８行目に列挙された情報がそれぞれ、エリアＡ２，Ａ３，Ａ５に設置された空調機３０の空調範囲に対応したパターン画像Ｐ６〜Ｐ８についての情報である。図１７に示されるように、各パターン画像Ｐ１〜Ｐ８についての画像情報は、値ＩＤ、領域ＩＤ、位置情報、大きさ情報、形状情報、形式ＩＤ、階層番号の７つの要素を含む。本実施形態では、階層番号「１」は、パターン画像が、第１レイヤーに配置されることを意味し、階層番号「２」は、パターン画像が、第２レイヤーに配置されることを意味する。
【００８２】
図１８には、階層別網目画像メモリ２４ｅに記憶された画像情報を模式的に示すテーブルが示されている。この画像情報は、階層番号、パターン、描画比率の３つの要素を含む。階層番号は、「１」が第１レイヤーを示し「２」が第２レイヤーを示している。また、パターンは、パターン画像Ｐ１〜Ｐ８が塗りつぶされたときのパターンである。そして、描画比率は、塗りつぶされた箇所と、塗りつぶされていない箇所との比率を表している。
【００８３】
階層別網目画像メモリ２４ｅに記憶されたテーブルの１行目の画像情報は、第１レイヤーに配置されたパターン画像が、描画比率が１００％のパターンで塗りつぶされ、第２レイヤーに配置されたパターン画像が、描画比率が５０％のパターンで塗りつぶされることを意味する。
【００８４】
図１９には、表現形式メモリ２４ｃに記憶される色情報を模式的に示すテーブルが示されている。図１９に示されるように、色情報は、形式ＩＤ、値範囲、及び描画色情報の３つの要素を含む。形式ＩＤの「１」は、当該情報がパターン画像Ｐ１〜Ｐ５に関する情報であることを示し、形式ＩＤの「２」は、当該情報がパターン画像Ｐ６〜Ｐ８に関する情報であることを示している。
【００８５】
次に、上述のように構成されたリモートコントロール装置２０における描画処理について説明する。この処理は、エリア描画管理部２４から、グラフィックエンジン２５に、画像の描画に必要な情報が出力されることで実現される。
【００８６】
図２０は、エリア描画管理部２４によって実行される一連の処理を示すフローチャートである。最初のステップＳ４０１では、エリア描画管理部２４は、まず背景色の色を規定する背景色情報を、グラフィックエンジン２５へ出力する。具体的には、エリア描画管理部２４は、表示部２６を構成する画素すべてを含む領域の大きさを示す情報（３２０，２４０）と、位置（０，０）に関する情報と、当該領域の色についての情報とをグラフィックエンジン２５へ出力する。これにより、背景色情報に基づいた色（例えば白色）の背景画像が、表示部２６に表示される。
【００８７】
次のステップＳ４０２では、エリア描画管理部２４は、内蔵されたカウンタのカウンタ値Ｍを初期化する。これにより、カウンタ値Ｍは０にリセットされる。
【００８８】
次のステップＳ４０３では、エリア描画管理部２４は、カウンタ値Ｍをインクリメントする。
【００８９】
次のステップＳ４０４では、エリア描画管理部２４は、内蔵されたカウンタのカウンタ値Ｎを初期化する。これにより、カウンタ値Ｎは０にリセットされる。
【００９０】
次のステップＳ４０５では、エリア描画管理部２４は、カウンタ値Ｎをインクリメントする。
【００９１】
次のステップＳ４０６では、エリア描画管理部２４は、パターン画像を描画するために、図２１に示されるサブルーチンを実行する。最初のステップＳ５０１では、エリア描画管理部２４は、階層付領域定義メモリ２４ｄから、Ｎ番目の画像パターンについての階層番号を読み込む。例えば、カウンタ値Ｎが１である場合には、エリア描画管理部２４は、図１７に示されるテーブルの１行目に位置する階層番号を読み込む。これにより、エリア描画管理部２４は、階層番号を取得する。
【００９２】
次のステップＳ５０２では、エリア描画管理部２４は、ステップＳ５０１で取得した階層番号がカウンタ値Ｍと一致するか否かを判断する。階層番号がカウンタ値Ｍと一致しない場合には（ステップＳ５０２：Ｎｏ）、サブルーチンを終了し、ステップＳ４０７へ移行する。一方、階層番号がカウンタ値Ｍと一致する場合には（ステップＳ５０２：Ｙｅｓ）、ステップＳ５０３へ移行する。
【００９３】
ステップＳ５０３では、エリア描画管理部２４は、階層付領域定義メモリ２４ｄから、Ｎ番目の画像パターンについての値ＩＤ、領域ＩＤ、及び形式ＩＤを読み込む。例えば、カウンタ値Ｎが１である場合には、エリア描画管理部２４は、図１７に示されるテーブルの１行目に位置する値ＩＤ、領域ＩＤ、及び形式ＩＤを読み込む。これにより、エリア描画管理部２４は、エリアＡ１に対応するパターン画像Ｐ１についての値ＩＤ、領域ＩＤ、及び形式ＩＤを取得する。
【００９４】
次のステップＳ５０４では、エリア描画管理部２４は、空調情報メモリ２３から、ステップＳ５０３で取得した領域ＩＤに応じた制御値を読み込む。例えばステップＳ５０３で、内容が「エリアＡ１」である領域ＩＤが取得された場合には、エリア描画管理部２４は、図１６に示されるテーブルの１行目に位置する制御値の値「２５」を読み込む。これにより、エリア描画管理部２４は、エリアＡ１に対応するパターン画像Ｐ１についての制御値を取得する。
【００９５】
次のステップＳ５０５では、エリア描画管理部２４は、表現形式メモリ２４ｃから、ステップＳ５０３で取得した形式ＩＤに対応し、ステップＳ５０４で取得した制御値によって規定される描画色情報を読み込む。例えばステップＳ５０３で取得された領域ＩＤの内容が「エリアＡ１」であり、ステップＳ５０４で取得された制御値が「２５」である場合には、エリア描画管理部２４は、図１９に示されるテーブルから、形式ＩＤ「１」に対応し、制御値が２４以上で２８未満のときの描画色情報として、内容が「黄」の描画色情報を取得する。
【００９６】
次のステップＳ５０６では、エリア描画管理部２４は、図１９を参照するとわかるように、描画色情報の内容が「なし」であるか、それ以外の「黄」、「橙」、「赤」、「青」、「水色」、「黄色」であるか否かを判断する。描画色情報の内容が「黄」、「橙」、「赤」等のうちのいずれかでない場合には（ステップＳ５０６：Ｎｏ）、エリア描画管理部２４は、サブルーチンを終了し、ステップＳ４０７へ移行する。一方、描画色情報の内容が「黄」、「橙」、「赤」等のうちのいずれかである場合には（ステップＳ５０６：Ｙｅｓ）、エリア描画管理部２４は、ステップＳ５０７へ移行する。
【００９７】
ステップＳ５０７では、エリア描画管理部２４は、階層付領域定義メモリ２４ｄから、Ｎ番目の画像パターンについての位置、大きさ、形状情報を読み込む。例えばカウンタ値Ｎが１である場合には、エリア描画管理部２４は、図１９に示されるテーブルの１行目に位置する位置、大きさ、形状情報を読み込む。これにより、エリア描画管理部２４は、エリアＡ１に対応するパターン画像Ｐ１についての位置、大きさ、形状情報を取得する。
【００９８】
次のステップＳ５０８では、エリア描画管理部２４は、階層別網目画像メモリ２４ｅから、カウンタ値Ｍを参照して、パターン及び画像比率に関する情報を取得する。例えば、カウンタ値Ｍが１の場合には、階層番号「１」に対応するパターンと描画比率に関する情報を取得する。また、カウンタ値Ｍが２の場合には、階層番号「２」に対応するパターンと描画比率に関する情報を取得する。
【００９９】
次のステップＳ５０９では、エリア描画管理部２４は、ステップＳ５０５，Ｓ５０７，Ｓ５０８で取得したパターン画像に関する画像情報を、グラフィックエンジンへ出力する。例えば、カウンタ値Ｎが１で、カウンタ値Ｍが１である場合には、図１７に示されるテーブルの１行目に位置する位置、大きさ、形状情報と、図１８に示される階層番号「１」に対応するパターン及び描画比率に関する情報と、図１９に示される描画色情報とをグラフィックエンジンへ出力する。
【０１００】
これにより、表示部２６を構成する液晶パネル２６ａの第１レイヤーに、Ｘ軸方向の大きさ、Ｙ軸方向の大きさがそれぞれ（８５ｄ，１４０ｄ）の矩形のパターン画像Ｐ１が、位置（１０，９０）に対応する位置に描画される。次に、このパターン画像Ｐ１が、表示色「黄」に対応し、描画比率が１００％のパターンで塗りつぶされる。
【０１０１】
また、例えばカウンタ値Ｎが６で、カウンタ値Ｍが２である場合には、エリア描画管理部２４は、図１７に示されるテーブルの６行目に位置する位置、大きさ、形状情報を、図１８に示される階層番号「２」に対応するパターン及び描画比率に関する情報と、図１９に示される描画色情報とをグラフィックエンジンへ出力する。
【０１０２】
これにより、表示部２６を構成する液晶パネル２６ａの第２レイヤーに、半径が（６０ｄ）の円形のパターン画像Ｐ６が、位置（８０，２３０）に対応する位置に描画される。次に、このパターン画像Ｐ６が、表示色「水色」に対応し、描画比率が５０％のパターンで塗りつぶされる。
【０１０３】
ステップＳ５０９での処理が終了すると、エリア描画管理部２４は、サブルーチンを終了し、ステップＳ４０７へ移行する。
【０１０４】
ステップＳ４０７では、エリア描画管理部２４は、カウンタ値Ｎが閾値以上であるか否かを判断する。上記閾値は、表示部２６に表示されるパターン画像Ｐ１〜Ｐ８の数と等価な値であり、ここでは閾値は８である。エリア描画管理部２４は、カウンタ値Ｎが閾値以上でない場合には、ステップＳ４０５へ戻り、以降ステップＳ４０７での判断が肯定されるまで、ステップＳ４０５〜ステップＳ４０７の処理を繰り返し実行する。これにより、図１５に示されるように、所定の色のパターンで塗りつぶされたパターン画像Ｐ１〜Ｐ５或いはパターン画像Ｐ６〜Ｐ８が、順次表示部２６を構成する液晶パネル２６ａの第１レイヤーに描画される。一方、カウンタ値Ｎが閾値（＝８）以上である場合には、エリア描画管理部２４は、ステップＳ４０８へ移行する。
【０１０５】
ステップＳ４０８では、エリア描画管理部２４は、カウンタ値Ｍが閾値以上であるか否かを判断する。上記閾値は、パターン画像Ｐ１〜Ｐ８が描画されるレイヤーの数と等価な値であり、ここでは閾値は２である。エリア描画管理部２４は、カウンタ値Ｍが閾値以上でない場合には、ステップＳ４０３へ戻り、以下ステップＳ４０８での判断が肯定されるまで、ステップＳ４０３〜ステップＳ４０８の処理を繰り返し実行する。これにより、図１５に示されるように、所定の色のパターンで塗りつぶされたパターン画像Ｐ１〜Ｐ５が第１レイヤーに描画され、パターン画像Ｐ６〜Ｐ８が第２レイヤーに描画される。一方、カウンタ値Ｍが閾値（＝２）以上である場合には、エリア描画管理部２４は、ステップＳ４０９へ移行する。
【０１０６】
ステップＳ４０９では、エリア描画管理部２４は、構造図面メモリ２４ａからフレーム画像情報を取得する。
【０１０７】
次のステップＳ４１０では、エリア描画管理部２４は、フレーム画像情報をグラフィックエンジン２５へ出力する。これにより、図１５に示されるフレーム画像ＦＲが、第３レイヤーに描画され、図１４に示される画像ＩＭが、表示部２６の液晶パネル２６ａに表示される。
【０１０８】
ステップＳ４１０での処理が終了すると、エリア描画管理部２４は、ステップＳ４０２へ戻り、以降、ステップＳ４０２〜ステップＳ４１０の処理を繰り返し実行する。
【０１０９】
以上説明したように、本実施形態では、空調状況に応じて塗りつぶしパターンが異なり、第１レイヤーに配置される矩形のパターン画像Ｐ１〜Ｐ５と、空調機３０から吹き出される空調空気の温度に応じて塗りつぶしパターンが異なり、第２レイヤーに配置される円形のパターン画像Ｐ６〜Ｐ８と、当該パターン画像Ｐ１〜Ｐ８に重なるフレーム画像ＦＲによって、オフィスビル１００の空調対象空間を示す画像ＩＭが構成される。
【０１１０】
このため、空調対象空間としての各エリアＡ１〜Ａ５の温度や、各エリアＡ１〜Ａ５の空調を行う空調機から吹き出される空調空気の温度等の空調状況が変わった場合には、各エリアＡ１〜Ａ５の形状にかかわらず、矩形或いは円形のパターン画像Ｐ１〜Ｐ８を、塗りつぶしパターンを変えて再描画するだけでよい。したがって、空調状況の変化に応じて画像ＩＭを更新する際にハンドリングする情報量が少なくなり、短時間に精度よく画像ＩＭを更新することが可能となる。
【０１１１】
本実施形態では、各エリアＡ１〜Ａ５に応じた形状に整形されたフレーム画像ＦＲが、パターン画像Ｐ１〜Ｐ８に重なった状態で表示される。このため、パターン画像Ｐ１〜Ｐ５によってユーザに示される各エリアＡ１〜Ａ５の形状は、オフィスビル１００における各エリアＡ１〜Ａ５の形状に一致する。したがって、各エリアＡ１〜Ａ５の形状が複雑な場合にも正確に、オフィスビル１００のレイアウトを表示することが可能となる。
【０１１２】
本実施形態では、上述したように、画像ＩＭを更新する際にハンドリングする情報量が少なくなる。したがって、処理速度が比較的高速な演算装置ではなくて、汎用の描画ユニットを用いることができ、装置の低コスト化、及び小型化を実現することができる。
【０１１３】
本実施形態では、第１レイヤーに表示されるパターン画像Ｐ１〜Ｐ５のメッシュパターンよりも、第２レイヤーに表示されるパターン画像Ｐ６〜Ｐ７のメッシュパターンの方が描画比率が低く、粗いパターンとなる。これに限らず、グラフィックエンジン２５は、メッシュパターンの描画率が最も高いパターン画像から描画を開始し、最終的にメッシュパターンの描画率が最も低いパターン画像を描画することとしてもよい。この場合には、メッシュパターンが粗であるパターン画像が順次上書きされる。このため、各パターン画像Ｐ１〜Ｐ８を同一のレイヤーに描画することができる。
【０１１４】
以上、本発明の各実施形態について説明したが、本発明は上記各実施形態によって限定されるものではない。
【０１１５】
例えば、上記実施形態では、リモートコントロール装置２０が空調機３０の管理に用いられる場合について説明した。これに限らず、リモートコントロール装置２０は、空調機以外の設備機器の管理に用いられることとしてもよい。
【０１１６】
本発明は、本発明の広義の精神と範囲を逸脱することなく、様々な実施形態及び変形が可能とされるものである。また、上述した実施形態は、本発明を説明するためのものであり、本発明の範囲を限定するものではない。つまり、本発明の範囲は、実施形態ではなく、特許請求の範囲によって示される。そして、特許請求の範囲内及びそれと同等の発明の意義の範囲内で施される様々な変形が、本発明の範囲内とみなされる。
【産業上の利用可能性】
【０１１７】
本発明のリモートコントロール装置は、設備機器の制御に適している。また、本発明の空調システムは、空調対象空間の空調に適している。
【符号の説明】
【０１１８】
１０，１０Ａ  空調システム
２０  リモートコントロール装置
２１  空調システム通信部
２２  空調機制御部
２３  空調情報メモリ
２４  エリア描画管理部
２４ａ  構造図面メモリ
２４ｂ  領域定義メモリ
２４ｃ  表現形式メモリ
２４ｄ  階層付領域定義メモリ
２４ｅ  階層別網目画像メモリ
２５  グラフィックエンジン
２５ａ  画像描画部
２５ｂ  クリッピング描画機能
２５ｃ  図形描画部
２５ｄ  網目パターン描画機能
２６  表示部
２６ａ  液晶パネル
３０  空調機
４０  温度センサ端末
７０  ネットワーク
１００  オフィスビル
１０１，１０２  作業空間
１０３  柱
１０４  パーティション
１１０  隔壁
Ａ１〜Ａ５  エリア
ＦＲ  フレーム画像
ＦＲａ  部分画像
ＩＭ  画像
Ｐ１〜Ｐ８  パターン画像
Ｓ１  全描画処理
Ｓ２  差分描画処理
【図１】
2012101832.tif 000003
【図２】
2012101832.tif 000004
【図３】
2012101832.tif 000005
【図４】
2012101832.tif 000006
【図５】
2012101832.tif 000007
【図６】
2012101832.tif 000008
【図７】
2012101832.tif 000009
【図８】
2012101832.tif 000010
【図９】
2012101832.tif 000011
【図１０】
2012101832.tif 000012
【図１１】
2012101832.tif 000013
【図１２】
2012101832.tif 000014
【図１３】
2012101832.tif 000015
【図１４】
2012101832.tif 000016
【図１５】
2012101832.tif 000017
【図１６】
2012101832.tif 000018
【図１７】
2012101832.tif 000019
【図１８】
2012101832.tif 000020
【図１９】
2012101832.tif 000021
【図２０】
2012101832.tif 000022
【図２１】
2012101832.tif 000023
【手続補正書】
【提出日】平成25年5月27日(2013.5.27)
【手続補正１】
【補正対象書類名】明細書
【補正対象項目名】０００９
【補正方法】変更
【補正の内容】
【０００９】
上記目的を達成するため、本発明に係るリモートコントロール装置は、
空調対象空間に設置された空調機を制御するための制御情報を記憶する第１記憶手段と、
前記空調対象空間の空調状況を表す第１画像に関する第１情報と、前記空調対象空間を規定する構造物を示す第２画像に関する第２情報を記憶する第２記憶手段と、
前記第１情報に基づいて、表示手段に、前記第１画像を描画して、前記制御情報によって規定されるパターンで塗りつぶし、
前記第２情報に基づいて、前記表示手段に、前記第１画像に重ねて前記第２画像を描画するグラフィックエンジンと、
を備え、
前記グラフィックエンジンは、
前記第１画像に、前記制御情報によって規定される色で塗りつぶされたタイル画像を重ねて描画することで、前記第１画像を塗りつぶす。
【手続補正２】
【補正対象書類名】特許請求の範囲
【補正対象項目名】全文
【補正方法】変更
【補正の内容】
【特許請求の範囲】
【請求項１】
空調対象空間に設置された空調機を制御するための制御情報を記憶する第１記憶手段と、
前記空調対象空間の空調状況を表す第１画像に関する第１情報と、前記空調対象空間を規定する構造物を示す第２画像に関する第２情報を記憶する第２記憶手段と、
前記第１情報に基づいて、表示手段に、前記第１画像を描画して、前記制御情報によって規定されるパターンで塗りつぶし、
前記第２情報に基づいて、前記表示手段に、前記第１画像に重ねて前記第２画像を描画するグラフィックエンジンと、
を備え、
前記グラフィックエンジンは、
前記第１画像に、前記制御情報によって規定される色で塗りつぶされたタイル画像を重ねて描画することで、前記第１画像を塗りつぶすリモートコントロール装置。
【請求項２】
空調対象空間に設置された空調機を制御するための制御情報を記憶する第１記憶手段と、
前記空調対象空間の空調状況を表す第１画像に関する第１情報と、前記空調対象空間を規定する構造物を示す第２画像に関する第２情報を記憶する第２記憶手段と、
前記第１情報に基づいて、表示手段に、前記第１画像を描画して、前記制御情報によって規定されるパターンで塗りつぶし、
前記第２情報に基づいて、前記表示手段に、前記第１画像に重ねて前記第２画像を描画するグラフィックエンジンと、
を備え、
前記グラフィックエンジンは、
前記第１画像を、前記制御情報によって規定されるメッシュパターンで塗りつぶすリモートコントロール装置。
【請求項３】
空調対象空間に設置された空調機を制御するための制御情報を記憶する第１記憶手段と、
前記空調対象空間の空調状況を表す第１画像に関する第１情報と、前記空調対象空間を規定する構造物を示す第２画像に関する第２情報を記憶する第２記憶手段と、
前記第１情報に基づいて、表示手段に、前記第１画像を描画して、前記制御情報によって規定されるパターンで塗りつぶし、
前記第２情報に基づいて、前記表示手段に、前記第１画像に重ねて前記第２画像を描画するグラフィックエンジンと、
を備え、
前記第１情報及び前記第２情報は、所定の形式で圧縮された情報であり、
前記グラフィックエンジンは、
圧縮された前記第１情報及び前記第２情報を伸張し、
伸張された前記第１情報に基づいて、前記表示手段に前記第１画像を描画し、伸張された前記第２情報に基づいて、前記表示手段に前記第２画像を描画するリモートコントロール装置。
【請求項４】
前記グラフィックエンジンは、
前記第１画像を、前記制御情報によって規定される色で塗りつぶす請求項１乃至３のいずれか一項に記載のリモートコントロール装置。
【請求項５】
前記第１画像は、第１レイヤー又は前記第１レイヤー上に重なる第２レイヤーに表示され、
前記第１レイヤーに表示される前記第１画像を塗りつぶすメッシュパターン、及び前記第２レイヤーに表示される前記第１画像を塗りつぶすメッシュパターンに関する情報を記憶する第３記憶手段を備え、
前記グラフィックエンジンは、前記第３記憶手段に記憶された情報に基づいて、前記第１レイヤー及び前記第２レイヤーに表示された前記第１画像を塗りつぶす請求項２に記載のリモートコントロール装置。
【請求項６】
前記第２レイヤーに表示される前記第１画像を塗りつぶす前記メッシュパターンは、前記第１レイヤーに表示される前記第１画像を塗りつぶす前記メッシュパターンよりも粗である請求項５に記載のリモートコントロール装置。
【請求項７】
前記グラフィックエンジンは、
前記制御情報が更新された場合に、
前記第１情報に基づいて、前記表示手段に、更新された前記制御情報によって規定されるパターンで塗りつぶされた前記第１画像を描画し、
前記第２情報に基づいて、前記表示手段に、前記第１画像と重なる前記第２画像の部分画像を上書きする請求項１乃至６のいずれか一項に記載のリモートコントロール装置。
【請求項８】
前記第１画像及び前記第２画像は、多角形又は円形である請求項１乃至７のいずれか一項に記載のリモートコントロール装置。
【請求項９】
前記第１及び第２記憶手段のうちの少なくともいずれかの記憶手段から所定の情報を抽出して、前記グラフィックエンジンへ出力する制御手段を備え、
前記グラフィックエンジンは、前記制御手段から出力された前記所定の情報を受信すると、前記制御手段から独立して、前記表示手段に、前記第１画像及び前記第２画像を描画する請求項１乃至８のいずれか一項に記載のリモートコントロール装置。
【請求項１０】
前記第１乃至第３記憶手段のうちの少なくともいずれかの記憶手段から所定の情報を抽出して、前記グラフィックエンジンへ出力する制御手段を備え、
前記グラフィックエンジンは、前記制御手段から出力された前記所定の情報を受信すると、前記制御手段から独立して、前記表示手段に、前記第１画像及び前記第２画像を描画する請求項５又は６に記載のリモートコントロール装置。
【請求項１１】
前記第１画像は、前記空調対象空間の温度、又は前記空調機から吐出される空調空気の温度に応じたパターンで塗りつぶされる請求項１乃至１０のいずれか一項に記載のリモートコントロール装置。
【請求項１２】
請求項１乃至１１のいずれか一項に記載のリモートコントロール装置と、
前記リモートコントロール装置を介して入力された指令に基づいて、前記空調対象空間の空調を行う前記空調機と、
を備える空調システム。
【国際調査報告】
2012101832.tif 000024
2012101832.tif 000025
2012101832.tif 000026
2012101832.tif 000027